(57)【要約】【課題】テレビジョン放送の選局や外部機器からの入力の切り替えを高速に行うテレビジョン放送受信装置を提供する。【解決手段】テレビジョン放送信号を選局する少なくとも１つの選局手段と、外部機器からの入力信号を受け付ける外部入力手段と、選局されたテレビジョン放送信号と外部機器からの入力信号との切り替えを行う経路切替手段と、経路切替手段により供給される入力信号を復号する復号手段とからなる複数のデコード経路と、リモコンまたはテレビジョン放送受信装置のキー操作入力手段のキー操作に応じてデコード経路の選択を指示する制御手段と、制御手段により指示されたデコード経路でデコードされている映像・音声信号を出力する出力制御手段と、を備え、制御手段により複数のデコード経路の内のいずれかを選択することによりテレビジョン放送信号または外部機器からの入力信号の映像・音声信号を出力するように出力制御手段に指示する。【選択図】図１
2009164867.tif 000002
【特許請求の範囲】
【請求項１】
テレビジョン放送信号を選局する少なくとも１つの選局手段と、外部機器からの入力信号を受け付ける外部入力手段と、選局されたテレビジョン放送信号と該外部機器からの入力信号との切り替えを行う経路切替手段と、該経路切替手段により供給される入力信号を復号する復号手段とからなる複数のデコード経路と、リモコンまたはテレビジョン放送受信装置のキー操作入力手段のキー操作に応じて前記デコード経路の選択を指示する制御手段と、前記制御手段により指示されたデコード経路でデコードされている映像・音声信号を出力する出力制御手段と、を備え、前記制御手段により前記複数のデコード経路の内のいずれかを選択することによりテレビジョン放送信号または前記外部機器からの入力信号の映像・音声信号を出力するように前記出力制御手段に指示することを特徴とするテレビジョン放送受信装置。
【請求項２】
請求項１に記載のテレビジョン放送受信装置において、前記複数のデコード経路は、第１デコード経路及び第２デコード経路よりなり、いずれも前記経路切替手段により切り替えて受信するテレビジョン放送信号、または、前記外部機器からの入力信号をデコードするものであって、前記制御手段が、リモコンまたはテレビジョン放送受信装置のキー操作入力手段のキー操作に応じて、前記第１デコード経路あるいは前記第２デコード経路のいずれかを選択することによりテレビジョン放送信号または前記外部機器からの入力信号の映像・音声信号を出力するように前記出力制御手段に指示することを特徴とするテレビジョン放送受信装置。
【請求項３】
請求項２に記載のテレビジョン放送受信装置において、前記キー操作入力手段がフラッシュバックキーであり、フラッシュバックキーのキー操作に応じて、前記第１デコード経路あるいは前記第２デコード経路のいずれかを選択することによりテレビジョン放送信号または前記外部機器からの入力信号の映像・音声信号を出力するように前記出力制御手段に指示することを特徴とするテレビジョン放送受信装置。
【請求項４】
請求項２に記載のテレビジョン放送受信装置において、前記キー操作入力手段が順次選局キーであり、順次選局キーのキー操作に応じて、前記第１デコード経路あるいは前記第２デコード経路のいずれかを選択することによりテレビジョン放送信号または前記外部機器からの入力信号の映像・音声信号を出力するように前記出力制御手段に指示することを特徴とするテレビジョン放送受信装置。
【発明の詳細な説明】
【技術分野】
【０００１】
本発明は、テレビジョン放送受信装置に関し、特に、入力の切り替えを高速に行うテレビジョン放送受信装置に関する。
【背景技術】
【０００２】
テレビジョン放送受信装置には、複数のチャンネルの中からユーザが視聴したいチャンネルを選局するため、チャンネルを直接指定する数字キーや、所定の順序に従って順方向または逆方向にチャンネルを順次選局するための順次選局キー等が設けられている。
【０００３】
また、視聴者は、視聴中のチャンネルにおいてコマーシャル等が始まった場合に、一時的に他のチャンネルの視聴を行い、その後、再び元のチャンネルを視聴するという視聴方法や、同一時間に視聴したいチャンネルが２つ存在する場合に、それぞれのチャンネルを交互に視聴するといった視聴方法を一般的にとることが多い（所謂、ザッピング）。
【０００４】
このようなザッピングするための機能として、フラッシュバック機能（チャンネルリターン機能）がある。
フラッシュバック機能は、現在視聴しているチャンネルを他のチャンネルへ切り替えるときに、現在視聴しているチャンネルが記憶されてから、チャンネルが切り替えられる。その後、フラッシュバックキーを押すと、現在視聴しているチャンネルを記憶するとともに、先に記憶したチャンネルへ切り替える機能である。
【０００５】
したがって、フラッシュバックキーを押す度に、現在視聴しているチャンネルと１つ前に視聴していたチャンネルを交互に行き来することになる。
例えば、現在視聴中のチャンネルが１０ｃｈ、１つ前に視聴していたチャンネルが８ｃｈであった場合、以下のようにチャンネルが切り替えられる。
１０ｃｈ⇒(フラッシュバック)⇒８ｃｈ⇒(フラッシュバック)⇒１０ｃｈ⇒…
【０００６】
しかしながら、デジタルテレビジョン放送受信装置においては、チャンネルを切り替えたときに、次のような処理が行われる。
視聴者がリモコンを用いて受信チャネルを変更すると、予め放送波より取得してあるＮＩＴ（Network Information Table）を参照して、視聴者が指示した受信チャネルの放送周波数を取得する。
【０００７】
チューナは、アンテナで受信された放送信号を目的の放送周波数に同調する。チューナから出力された信号は、復調手段で放送方式に対応した復調方式で復調が行われる。復調手段から出力されたデータは、通常ＭＰＥＧ２−ＴＳ形式となっており分離手段に入力されて目的のチャネルの映像、音声のストリームが抽出される。
【０００８】
復号手段では、分離手段で抽出された映像ストリームをデコードするとともに、映像に同期して音声ストリームのデコードも開始する。
復号手段により出力された映像信号および音声信号は、それぞれの出力機器に入力されて、映像および音声として出力される。
【０００９】
上記のようなデジタルテレビジョン放送受信装置では、チャネル変更前の映像および音声が一旦途切れて、チャネル変更後の映像および音声が出力されるまでには、チューナが変更後のチャネルに同調する時間と復調手段および分離手段が目的のチャンネルのストリームを抽出するまでの時間と、復号手段が映像および音声をデコードするまでの時間とが、最低限必要である。
【００１０】
したがって、デジタルテレビジョン放送受信装置では、チャンネルを切り替えたときに、切替後の映像表示が開始されるまで画面に何も表示されない時間があり、視聴者の心理的負担が大きくなっている。
【００１１】
特許文献１では、２系統のチューナおよびデコーダを備えておき、視聴者が選局動作を行ったときには、現在視聴中の第１の系統のチューナおよびデコーダは復号を続け、視聴者が指定したチャンネルに対しては、第２の系統のチューナおよびデコーダで選局および復号を行うようにする。
【００１２】
さらに、視聴者の選局動作がはじまった瞬間に輝度をある程度落として、選局動作に入ったことが直感的にわかるようにし、その後徐々に輝度を低下させていき、第２の系統での復号が終了するときに輝度がゼロになるようにしておき、この時点で第２の系統へ切り換えるようにする。
これにより、チャンネル切替後に映像表示が開始されるまで何も映らないという心理負担を軽減することができる。
【００１３】
また、特許文献２では、チューナ、復調回路、デスクランブラ、トランスポートデコーダを２系統以上備えておき、チャンネル切替後のチャネルが受信状態になり、映像ストリーム中のシーケンスヘッダを検出してＡＶデコードが可能になってから、出力を切り替えるようにしている。
これにより、異なる周波数のチャネル切り替えの場合においても、チャネル切り替えに伴う映像・音声が途切れる時間を短縮し、さらにチャネル切り替えの応答時間を短縮することができる。
【００１４】
また、特許文献３では、受信した映像／音声信号を各々デコードする２つのデコーダを設け、いずれか一方のデコーダは、視聴者によって指定されたチャンネルの映像／音声信号をデコードし、他方のデコーダはこれと並行して上記指定されたチャンネルと順方向に隣接するチャンネルの映像／音声信号をデコードする。後者のデコード結果は、ＲＡＭに記憶され、順方向へのチャンネル切替時に読み出され、再生される。
【００１５】
さらに、特許文献３では、チューナおよびデコーダを各々３セット設け、これによって３チャンネルを並行して受信してデコードする構成としたときに、視聴者の指定したチャンネルを１セットで受信するとともに、隣接するチャンネルを同時に他の２つのセットで受信してデコードしておくことにより、視聴者が順次選局キーにより、順方向、逆方向どちらの操作を行っても、高速なチャンネルサーフを楽しむことができる。
【特許文献１】特開２００７−６０５３号公報
【特許文献２】特開２００４−３２８３６６号公報
【特許文献３】特開平１０−２９４９３０号公報
【発明の開示】
【発明が解決しようとする課題】
【００１６】
しかしながら、特許文献１では、チャンネルを切り替えたときに、視聴者が選局動作を行ってからデコードを行うので、デコードを行う間の時間を短縮できないため、視聴者の心理的負担があまり軽減されない。
【００１７】
また、特許文献２では、選局のみに着目しており、外部機器からの入力の切替には対応しておらず、外部機器からの入力を含めたすべての入力切替時の高速化はできない。
【００１８】
また、特許文献３では、順次選局キーによる順方向または逆方向にチャンネルを順次選局することに着目しており、外部機器からの入力の切替には対応しておらず、外部機器からの入力を含めたすべての入力についての入力切替時の高速化はできない。
【００１９】
本発明は、上述の実情を考慮してなされたものであって、テレビジョン放送の選局や外部機器からの入力の切り替えを高速に行うテレビジョン放送受信装置を提供することを目的とする。
【課題を解決するための手段】
【００２０】
上記課題を解決するために、本発明のテレビジョン放送受信装置は、テレビジョン放送信号を選局する少なくとも１つの選局手段と、外部機器からの入力信号を受け付ける外部入力手段と、選局されたテレビジョン放送信号と該外部機器からの入力信号との切り替えを行う経路切替手段と、該経路切替手段により供給される入力信号を復号する復号手段とからなる複数のデコード経路と、リモコンまたはテレビジョン放送受信装置のキー操作入力手段のキー操作に応じて前記デコード経路の選択を指示する制御手段と、前記制御手段により指示されたデコード経路でデコードされている映像・音声信号を出力する出力制御手段と、を備え、前記制御手段により前記複数のデコード経路の内のいずれかを選択することによりテレビジョン放送信号または前記外部機器からの入力信号の映像・音声信号を出力するように前記出力制御手段に指示するものである。
【００２１】
さらに、前記複数のデコード経路が、第１デコード経路及び第２デコード経路よりなり、いずれも前記経路切替手段により切り替えて受信するテレビジョン放送信号、または、前記外部機器からの入力信号をデコードするものである場合、前記制御手段が、リモコンまたはテレビジョン放送受信装置のキー操作入力手段のキー操作に応じて、前記第１デコード経路あるいは前記第２デコード経路のいずれかを選択することによりテレビジョン放送信号または前記外部機器からの入力信号の映像・音声信号を出力するように前記出力制御手段に指示するものとしてもよい。
そして、前記キー操作入力手段によるキー操作は、フラッシュバックキーまたは順次選局キーで行うことができる。
【発明の効果】
【００２２】
本発明によれば、テレビジョン放送の選局や外部機器からの入力の切り替えを高速に行えるので、入力切替後に映像表示が開始されるまで何も映らないという心理負担を軽減することができる。
【発明を実施するための最良の形態】
【００２３】
以下、図面を参照して本発明の好適な実施形態について説明する。
以下の実施形態では、テレビジョン放送受信装置をデジタル放送受信装置として説明するが、アナログ放送受信装置においても同様に適用することができる。
【００２４】
＜実施形態１＞
本実施形態１では、リモコンに備えられたフラッシュバックキーが押された場合の実施例を説明する。
【００２５】
図１は、本実施形態１のデジタルテレビジョン放送受信装置の概略構成を示すブロック図である。同図において、デジタルテレビジョン放送受信装置１００は、第１デコード経路２０、第２デコード経路３０、出力制御手段４０、映像出力手段５０、音声出力手段６０、リモコン受光部７０、キー操作入力手段７５、メモリ８０、外部入力端子９５、切替手段９６、制御手段９０を含んで構成されている。
【００２６】
第１デコード経路２０は、選局手段（チューナ）２１、復調手段２２、分離手段２３、経路切替手段２４、復号手段(デコーダ）２５からなっている。
また、第２デコード経路３０は、第１デコード経路２０と同様の機能を持ち、選局手段３１、復調手段３２、分離手段３３、経路切替手段３４、復号手段３５からなっている。
【００２７】
制御手段９０は、メモリ８０に記憶されている所定のプログラムの実行および視聴者によるリモコン１１やキー操作入力手段７５の操作にしたがって、デジタルテレビジョン放送受信装置１００の各手段を制御する。
メモリ８０は、不揮発性メモリや揮発性メモリからなり、デジタルテレビジョン放送受信装置１００を制御するための各種プログラムや選局に必要な各種情報等を記憶する。
【００２８】
リモコン１１には、電源のオン／オフボタン、放送受信機能の起動ボタン、チャンネルを選局するためのチャンネル選局キー、順次選局キーやフラッシュバックキー、音量の調節のためのボタン、画面分割を行って１画面に多画面を表示するための画面分割キー、アクティブ画面を切り替えるための画面切替キー等が設けられており、各キーが押されると、押されたキーに関する情報を操作情報としてリモコン受光部７０に送出する。
リモコン受光部７０は、リモコン１１から送出された操作情報を受信して、制御手段９０に送出する。
【００２９】
キー操作入力手段７５は、デジタルテレビジョン放送受信装置１００に備えられ、リモコン１１と同様な機能を持つ各種のキーやボタンが押されると、押されたキーに関する情報を操作情報として制御手段９０に送出する。
アンテナ１０は、デジタルテレビジョン放送を受信して、放送信号を第１デコード経路２０および第２デコード経路３０へ供給する。
【００３０】
第１デコード経路２０の選局手段２１は、アンテナ１０で受信された放送信号を、制御手段９０から指示された目的のチャンネルに対応する放送周波数に同調する。
復調手段２２は、選局手段２１から出力された信号を放送方式に対応した復調方式で復調する。
分離手段２３は、復調手段２２から出力されたデータ（通常ＭＰＥＧ２−ＴＳ形式である）から目的のチャネルの映像、音声のストリームを抽出する。
【００３１】
経路切替手段２４は、切替手段９６からの入力信号が無い場合、分離手段２３からの入力信号である目的のチャネルの映像、音声のストリームを出力する。また、経路切替手段２４は、切替手段９６からの入力信号がある場合、この切替手段９６からの入力信号を出力する。
【００３２】
制御手段９０は、外部入力端子９５を介して接続した外部機器から入力された映像や音声信号をデコードするデコード経路（現在使用中で無いデコード経路）を切替手段９６に出力する。
切替手段９６は、制御手段９０から受信したデコード経路に外部機器から入力された映像や音声信号が出力する。例えば、制御手段９０から受信したデコード経路が「第２デコード経路」であれば、外部機器から入力された映像や音声信号を「第２デコード経路」へ出力し、「第１デコード経路」には信号を出力しないようにする。
【００３３】
復号手段２５は、経路切替手段２４から入力された映像ストリームをデコードするとともに、映像に同期して音声ストリームのデコードも開始し、デコードされた映像ストリームおよび音声ストリームを出力する。
【００３４】
第２デコード経路３０の各手段についても、第１デコード経路２０と同様に動作して、デコードされた映像ストリームおよび音声ストリームを出力する。
【００３５】
出力制御手段４０は、制御手段９０の指示に基づいて、第１デコード経路２０または第２デコード経路３０のいずれかから出力される映像ストリームおよび音声ストリームを選択出力する。
映像出力手段５０は、液晶ディスプレイやプラズマディスプレイ等からなり、出力制御手段４０から出力された映像の出力を行う。
音声出力手段６０は、スピーカ等からなり、出力制御手段４０から出力された音声の出力を行う。
【００３６】
入力切替メモリ８１は、メモリ８０内に設けられ、図２に例示するようなデータ構造で、カレントデコード経路情報と入力源情報を記憶する。
カレントデコード経路情報は、現在出力している映像・音声のデコード経路の区別を記憶する。
入力源情報は、デジタルテレビジョン放送受信装置１００が備える２つの系統のデコード経路に対応して設けられ、それぞれの入力源情報は、テレビ放送と外部入力に分け、それぞれ、使用可否情報と入力識別子とを記憶する。
【００３７】
テレビ放送に対する入力源情報は、テレビ放送から入力信号を得る場合には、使用可否情報にＯＮが設定され、入力識別子にはチャンネル番号が設定され、外部入力から入力信号を得る場合には、使用可否情報にＯＦＦが設定され、入力識別子は前のままである。
【００３８】
また、外部入力に対する入力源情報は、外部入力から入力信号を得る場合には、使用可否情報にＯＮが設定され、入力識別子には入力信号を得る外部機器が接続している外部入力端子の識別番号が設定され、テレビ放送から入力信号を得る場合には、使用可否情報にＯＦＦが設定され、入力識別子は前のままである。
【００３９】
制御手段９０は、リモコン１１やキー操作入力手段７５に備えたフラッシュバックキーが押されたことを認識すると、入力切替メモリ８１のカレントデコード経路情報で示されるデコード経路ではないデコード経路（「視聴中でないデコード経路」という）を取得し、出力制御手段４０に、「視聴中でないデコード経路」を出力するとともに、カレントデコード経路情報を「視聴中でないデコード経路」に更新する。
ここで、「視聴中でないデコード経路」が使われていない場合には、フラッシュバック機能は働かず、デコード経路の切り替えは起こらない。
【００４０】
また、制御手段９０は、リモコン１１やキー操作入力手段７４に備えたチャンネル番号キーが押されたことを認識すると、入力切替メモリ８１のカレントデコード経路情報で示されるデコード経路ではないデコード経路（「視聴中でないデコード経路」という）を取得し、指定されたチャンネル番号の選局を行わせる。
【００４１】
このとき、入力切替メモリ８１では、「視聴中でないデコード経路」をカレントデコード経路情報に記憶し、この「視聴中でないデコード経路」に対応する入力源情報のうち、テレビ放送に対して、使用可否情報に「ＯＮ」、入力識別子に「チャンネル番号」を設定し、外部入力に対しては、使用可否情報に「ＯＦＦ」を設定する。
【００４２】
また、制御手段９０は、外部機器から入力信号が入力されたときには、入力切替メモリ８１のカレントデコード経路情報で示されるデコード経路ではないデコード経路（「視聴中でないデコード経路」という）を取得し、切替手段９６からの出力を「視聴中でないデコード経路」に行わせる。
【００４３】
このとき、入力切替メモリ８１では、「視聴中でないデコード経路」をカレントデコード経路情報に記憶し、この「視聴中でないデコード経路」に対応する入力源情報のうち、外部入力に対して、使用可否情報に「ＯＮ」、入力識別子に「外部入力端子の識別番号」を設定し、テレビ放送に対しては、使用可否情報に「ＯＦＦ」を設定する。
【００４４】
出力制御手段４０は、カレントデコード経路情報に記憶されたデコード経路の区別に応じてデコード経路に切り替え、映像および音声を映像出力手段５０および音声出力手段６０へ出力する。
【００４５】
例えば、出力制御手段４０は、カレントデコード経路情報に「第１デコード経路」が設定されていれば、「第１デコード経路」でデコードされた映像・音声を選択して、それぞれ映像出力手段５０および音声出力手段６０へ出力する。
【００４６】
次に、上記の構成の実施形態１においてフレッシュバックキーが押されたときの制御手段９０の動作について説明する。
【００４７】
（１）双方のデコード経路がともにテレビ放送を選択した場合について説明する。
【００４８】
最初に、第１デコード経路を使って、チャンネル４の番組を見ていたとすると、入力切替メモリ８１のカレントデコーダ経路情報には、「第１デコード経路」が記憶される。
また、「第１デコード経路」に対する入力源情報のうち、テレビ放送に対して、使用可否情報に「ＯＮ」、入力識別子に「４ｃｈ」が記憶され、外部入力に対しては、使用可否情報に「ＯＦＦ」が記憶され、入力識別子はそのままである。
これにより、チャンネル４で放送している番組に対する映像・音声が映像出力手段５０および音声出力手段６０に出力される。
【００４９】
次に、チャンネル１０の番組を見るようにしたときには、視聴中でないデコード経路（「第２でコーダ経路」）を使って、選局およびデコードが行われ、チャンネル１０で放送している番組に対する映像・音声が映像出力手段５０および音声出力手段６０に出力される。
【００５０】
このとき、入力切替メモリ８１のカレントデコーダ経路情報には、「第２デコード経路」が記憶される。また、「第２デコード経路」に対する入力源情報のうち、テレビ放送に対して、使用可否情報に「ＯＮ」、入力識別子に「１０ｃｈ」が記憶され、外部入力に対しては、使用可否情報に「ＯＦＦ」が記憶され、入力識別子はそのままである。
これと並行して、「第１デコード経路」ではチャンネル４の放送の選局とデコードが継続して行われている。
【００５１】
このように、並行して２つのチャンネルの放送信号がデコードされている状態で、フラッシュバックキーが押されると、カレントデコード経路情報に記憶されていないデコード経路（「第１デコード経路」）をカレントデコード経路情報へ記憶し、出力制御手段４０では、カレントデコード経路情報に記憶されているデコード経路（「第１デコード経路」）に入力源を切り替えて、デコード済みの４ｃｈの映像・音声ストリームを映像出力手段５０および音声出力手段６０にそれぞれ出力する。
【００５２】
これにより、現在のチャンネルのデコードと並行して１つ前のチャンネルに対してもデコードを継続して行っているため、フラッシュバックキーが連打されても、高速に入力信号を切り替えることができる（図３）。
【００５３】
（２）少なくとも片方のデコード経路がテレビ放送を選択し、他方のデコーダ経路が外部入力の場合について説明する。
【００５４】
最初に、第１デコード経路を使って、外部入力からＶｉｄｅｏを見ていたとすると、切替手段９６が制御されて、外部入力端子９５から入力された入力信号が「第１デコード経路」の経路切替手段２４へ出力される。
【００５５】
このとき、入力切替メモリ８１のカレントデコーダ経路情報には、「第１デコード経路」が記憶される。また、「第１デコード経路」に対する入力源情報のうち、外部入力に対して、使用可否情報に「ＯＮ」、入力識別子に「Ｖｉｄｅｏの接続端子の識別番号」が記憶され、テレビ放送に対しては、使用可否情報に「ＯＦＦ」が記憶され、入力識別子はそのままである。
これにより、Ｖｉｄｅｏから入力された映像・音声が映像出力手段５０や音声出力手段６０に出力される。
【００５６】
次に、チャンネル４の番組を見るようにしたときには、視聴中でないデコード経路（「第２でコーダ経路」）を使って、選局およびデコードが行われ、チャンネル４で放送している番組に対する映像・音声が映像出力手段５０および音声出力手段６０に出力される。
【００５７】
このとき、入力切替メモリ８１のカレントデコーダ経路情報には、「第２デコード経路」が記憶される。また、「第２デコード経路」に対する入力源情報のうち、テレビ放送に対して、使用可否情報に「ＯＮ」、入力識別子に「４ｃｈ」が記憶され、外部入力に対しては、使用可否情報に「ＯＦＦ」が記憶され、入力識別子はそのままである。
これと並行して、「第１デコード経路」ではＶｉｄｅｏからの入力信号のデコードが継続して行われている。
【００５８】
このように、並行して２つの入力信号がデコードされている状態で、フラッシュバックキーが押されると、カレントデコード経路情報に記憶されていないデコード経路（「第１デコード経路」）をカレントデコード経路情報へ記憶し、出力制御手段４０では、カレントデコード経路情報に記憶されているデコード経路（「第１デコード経路」）に入力源を切り替えて、デコード済みのＶｉｄｅｏからの映像・音声ストリームを映像出力手段５０および音声出力手段６０にそれぞれ出力する。
【００５９】
これにより、現在の入力信号のデコードと並行して１つ前の入力信号に対してもデコードを継続して行っているため、フラッシュバックキーが連打されても、高速に入力信号を切り替えることができる（図３）。
【００６０】
上記の実施形態１では、２つのデコード経路とも選局手段（チューナ）を備えたものであったが、片方または両方のデコード経路が選局手段（チューナ）を備えておらず、コンポジット、コンポーネント、Ｓ端子、Ｄ端子、ＨＤＭＩ等からの入力信号を復号手段でデコードするものであっても同様に適用することができる。
【００６１】
＜実施形態２＞
本実施形態２は、２つのデコード経路を用いてテレビ放送を受信しているときに、順方向の順次選局キーが押された場合の実施例である。
本実施形態２は、実施形態１と同じ構成であるため、構成についての説明を省略し、一部が異なる制御手段の動作についてのみ説明する。
【００６２】
チャンネル番号（例えば、６ｃｈ）が指定されたとき、視聴中でないデコード経路（「第１デコード経路」）を使用して対象のチャンネルへの選局を行う。このとき、入力切替メモリ８１のカレントデコード経路情報には「第１デコード経路」が記憶され、入力源情報のテレビ放送の使用可否情報には「ＯＮ」、入力識別子には「６ｃｈ」が記憶され、外部入力の使用可否情報には「ＯＦＦ」が記憶され、入力識別子はそのままである。
【００６３】
その後、順方向の順次選局キー押してチャンネル番号を切り替えると、「第１デコード経路」を使って、視聴中のチャンネル番号に隣接するチャンネル番号（この場合、８ｃｈ）を選局してデコードを行う。
これと同時に、現在選局・デコード中のチャンネル番号（この場合、８ｃｈ）に隣接するチャンネル番号（１０ｃｈ）を他のデコード経路（「第２デコード経路」）を使って、選局してデコードする。
【００６４】
このとき、入力切替メモリ８１のカレントデコード経路情報には「第１デコード経路」が記憶され、第１デコード経路に対する入力源情報のテレビ放送に対しては、使用可否情報には「ＯＮ」、入力識別子には「８ｃｈ」が記憶され、外部入力に対しては、使用可否情報には「ＯＦＦ」が記憶され、入力識別子はそのままである。
【００６５】
また、第２デコード経路の入力源情報のテレビ放送に対しては、使用可否情報には「ＯＮ」、入力識別子には「１０ｃｈ」が記憶され、外部入力に対しては使用可否情報には「ＯＦＦ」が記憶され、入力識別子はそのままである。
この時点では、まだ、従来と同じ入力切替速度である。
【００６６】
さらに、順方向の順次選局キー押してチャンネルを切り替えると、入力切替メモリ８１のカレントデコード経路情報に「第２デコード経路」を記憶して、出力制御手段４０では、カレントデコード経路情報に記憶されているデコード経路（「第２デコード経路」）に入力源を切り替えて、デコード済みの１０ｃｈの映像・音声ストリームを映像出力手段５０および音声出力手段６０にそれぞれ出力する。
【００６７】
これと同時に、切り替えられたデコード経路とは別のデコード経路（「第１デコード経路」）を使って、切り替えられたチャンネル番号（１０ｃｈ）に隣接するチャンネル番号（１２ｃｈ）を選局してデコードを行う。
【００６８】
このとき、入力切替メモリ８１の第１デコード経路に対する入力源情報のテレビ放送に対しては、使用可否情報には「ＯＮ」、入力識別子には「１２ｃｈ」が記憶され、外部入力に対しては使用可否情報には「ＯＦＦ」が記憶され、入力識別子はそのままである。
この時点とそれ以降では、既に選局されデコードされたデコード経路へ切り替えるだけであるから、従来の入力切替速度より高速に入力を切り替えられる（図４）。
【００６９】
本実施形態２では、順方向の順次選局キーが押された場合について説明したが、逆方向の順次選局キーが押された場合であっても同様に適用できる。
【００７０】
また、本実施形態２に３系統のデコード経路を備えるようにして、順方向の順次選局キーと逆方向の順次選局キーとを用いてチャンネルサーフが行える構成としてもよい。
この場合、例えば、１つのデコード経路で現在指定されているチャンネル番号の入力信号をデコードし、このチャンネル番号に隣接する２つのチャンネル番号に対応する放送信号を残りの２つのデコード経路で並行してデコードする。
【００７１】
例えば、現在視聴中のチャンネル番号を８ｃｈ、隣接するチャンネル番号を６ｃｈと１０ｃｈとする。
第１デコード経路で８ｃｈをデコードし、それと並行して第２デコード経路で６ｃｈをデコードし、第３デコード経路で１０ｃｈをデコードする。
そして、順方向の順次選局キーが押された場合には、第３デコード経路の１０ｃｈが指定されたチャンネル番号とみなし、第２デコード経路で１２ｃｈをデコードするようにする。
また、逆方向の順次選局キーが押された場合には、第２デコード経路の６ｃｈが指定されたチャンネル番号とみなし、第３デコード経路で４ｃｈをデコードするようにする。
【００７２】
＜実施形態３＞
本実施形態３は、少なくとも片方のデコード経路がテレビ番組を選択し、他方のデコード経路が外部入力によって使われているときに、フラッシュバックキー、順次選局キーが押された場合の実施例である。
本実施形態３は、実施形態１と同じ構成であるため、構成についての説明を省略し、一部が異なる入力選択手段の動作についてのみ説明する。
【００７３】
まず、外部機器（例えば、Ｖｉｄｅｏ）を接続し、視聴中でないデコード経路（「第１デコード経路」）を使用して、外部機器からの入力信号のデコードを行っているものとする。このとき、入力切替メモリ８１のカレントデコード経路情報には「第１デコード経路」が記憶され、入力源情報の外部入力に対しては、使用可否情報には「ＯＮ」、入力識別子には「Ｖｉｄｅｏ」が記憶され、テレビ放送に対しては、使用可否情報には「ＯＦＦ」が記憶され、入力識別子はそのままである。
【００７４】
次に、チャンネル番号（例えば、６ｃｈ）を指定すると、視聴中でないデコード経路（「第２デコード経路」）を使って、対象のチャンネルへの選局およびデコードを行われ、チャンネル６で放送している番組に対する映像・音声が映像出力手段５０および音声出力手段６０に出力される。
【００７５】
このとき、入力切替メモリ８１のカレントデコード経路情報には「第２デコード経路」が記憶され、入力源情報のテレビ放送に対しては、使用可否情報には「ＯＮ」、入力識別子には「６ｃｈ」が記憶され、外部入力に対しては使用可否情報には「ＯＦＦ」が記憶され、入力識別子はそのままである。
【００７６】
ここで、第１デコード経路は、現在、外部機器（Ｖｉｄｅｏ）からの入力信号をデコードしているだけであるから、選局手段、復調手段および分離手段は使われていない。
したがって、「第２デコード経路」で選局およびデコードを行うのに並行して、「第１デコード経路」で現在選局中のチャンネル番号に隣接するチャンネル番号（この場合、８ｃｈ）の選局から分離処理までを行っておく。
【００７７】
このとき、入力切替メモリ８１の「第１デコード経路」の入力源情報の外部入力に対してはそのままとし、入力源情報のテレビ放送に対しては、使用可否情報には「ＯＮ」、入力識別子には「８ｃｈ」が記憶される。
【００７８】
以上の設定により、「第１デコード経路」と「第２デコード経路」では次の処理が行われていることになる。
「第１デコード経路」では、選局から分離処理までは、チャンネル８を受信しており、復号処理ではＶｉｄｅｏからの入力信号がデコードされている。
また、「第２デコード経路」では、チャンネル６の放送を受信して映像・音声が出力されている。
【００７９】
その後、フラッシュバックキーが連打されたとしても、カレントデコード経路情報を切り替えるだけで、高速に入力信号を切り替えることができる（図５）。
【００８０】
また、順方向の順次選局キーが押されたときには、入力切替メモリ８１のカレントデコード経路情報には「第１デコード経路」を記憶し、「第１デコード経路」の入力源情報はそのままとし、また、外部入力に対しては、使用可否情報には「ＯＦＦ」が記憶され、入力識別子はそのままである。
そして、「第１デコード経路」では、経路切替手段２４を切り替えて、既に選局、復調、分離が行われている入力信号を復号手段２５でデコードできるようにする。
【００８１】
さらに、この「第１デコード経路」でのデコードと並行して、「第２デコード経路」を使って、現在デコード中のチャンネル番号（この場合、８ｃｈ）に隣接するチャンネル番号（この場合、１０ｃｈ）の選局およびデコードを行っておく。
【００８２】
このとき、入力切替メモリ８１の「第２デコード経路」の入力源情報のテレビ放送に対しては、使用可否情報には「ＯＦＦ」、入力識別子には「１０ｃｈ」が記憶され、外部入力に対しては、使用可否情報には「ＯＦＦ」が記憶され、入力識別子はそのままである。
このように、順方向の順次選局キーによる入力切替時間は、実施形態２よりも若干時間がかかるが、従来よりも高速に入力の切り替えができる（図５）。
【００８３】
本実施形態３では、順方向の順次選局キーが押された場合について説明したが、逆方向の順次選局キーが押された場合であっても同様に適用できる。
【００８４】
＜実施形態４＞
本実施形態４は、少なくとも２画面表示を備え、片方のデコード経路をメイン画面に出力し、他方のデコード経路をサブ画面に割り当てたときに、画面切替キーが押された場合の実施例である。
本実施形態４は、実施形態１と同じ構成であるため、構成についての説明を省略し、一部が異なる入力選択手段の動作についてのみ説明する。
【００８５】
（１）双方のデコード経路がテレビ放送を選択した場合について説明する。
【００８６】
最初にチャンネル４を「第１デコード経路」を使ってデコードして、そのチャンネル４の放送を見て、次に、チャンネル１０を「第２デコード経路」を使ってデコードして、そのチャンネル１０の放送を見ていたとする。
【００８７】
このとき、入力切替メモリ８１のカレントデコーダ経路情報には、「第２デコード経路」が記憶される。「第１デコード経路」に対する入力源情報のうち、テレビ放送に対して、使用可否情報に「ＯＮ」、入力識別子に「４ｃｈ」が記憶され、外部入力に対しては、使用可否情報に「ＯＦＦ」が記憶され、入力識別子はそのままである。
【００８８】
また、「第２デコード経路」に対する入力源情報のうち、テレビ放送に対して、使用可否情報に「ＯＮ」、入力識別子に「１０ｃｈ」が記憶され、外部入力に対しては、使用可否情報に「ＯＦＦ」が記憶され、入力識別子はそのままである。
【００８９】
このように、並行して２つのチャンネルの放送信号がデコードされている状態で、画面分割キーが押されると、１画面表示から２画面表示に切り替えられ、視聴中のチャンネルの放送をメイン画面に表示させると共に、１つ前に表示していたチャンネルの放送をサブ画面に表示させる。このとき、入力切替メモリ８１内の情報に変更はない。
上記の例の場合には、メイン画面に１０ｃｈの放送が表示され、サブ画面に４ｃｈの放送が表示される。
【００９０】
さらに、画面切替キーが押されると、入力切替メモリ８１のカレントデコード経路情報が１つ前のデコード経路（「第１デコード経路」）に書き換えられて、既に選局およびデコードが行われているチャンネルの放送（４ｃｈ）が視聴中の放送になる。
これにより、画面切替キーが連打されたときでも、アクティブ画面の切り替えが高速に行える（図６）。
【００９１】
（２）少なくとも片方のデコード経路がテレビ放送を選択し、他方のデコード経路が外部入力の場合について説明する。
【００９２】
最初に、「第１デコード経路」を使って、外部入力からのＶｉｄｅｏをデコードして見た後に、「第２デコード経路」を使って、チャンネル４をデコードして見ていたとする。
このとき、入力切替メモリ８１のカレントデコーダ経路情報には、「第２デコード経路」が記憶される。「第１デコード経路」に対する入力源情報のうち、外部入力に対して、使用可否情報に「ＯＮ」、入力識別子に「Ｖｉｄｅｏの接続端子の識別番号」が記憶され、テレビ放送に対しては、使用可否情報に「ＯＦＦ」が記憶され、入力識別子はそのままである。
【００９３】
また、「第２デコード経路」に対する入力源情報のうち、テレビ放送に対して、使用可否情報に「ＯＮ」、入力識別子に「４ｃｈ」が記憶され、外部入力に対しては、使用可否情報に「ＯＦＦ」が記憶され、入力識別子はそのままである。
【００９４】
このように、並行して２つの入力信号がデコードされている状態で、画面分割キーが押されると、１画面表示から２画面表示に切り替えられ、視聴中のチャンネルの放送をメイン画面に表示させると共に、１つ前に表示していたＶｉｄｅｏの映像をサブ画面に表示させる。このとき、入力切替メモリ８１内の情報に変更はない。
上記の例の場合には、メイン画面に４ｃｈの放送が表示され、サブ画面にＶｉｄｅｏの映像が表示される。
【００９５】
さらに、画面切替キーが押されると、入力切替メモリ８１のカレントデコード経路情報が１つ前のデコード経路（「第１デコード経路」）に書き換えられて、既にデコードが行われているＶｉｄｅｏの映像が視聴中になる。
これにより、画面切替キーが連打されたときでも、アクティブ画面の切り替えが高速に行える（図６）。
【００９６】
また、本実施形態４は、多画面表示機能および３系統以上のデコード経路を備え、各画面が並行して映像を表示できる場合にも拡張でき、各画面における入力切替を高速化することができる。
【００９７】
（１）２画面表示と３系統のデコード経路を備え、それぞれの画面への映像出力が並行してできる場合：
各画面に１つずつデコード経路を割り当て、アクティブ状態となっている画面（チャンネル等の操作対象となっている画面）に残りのデコード経路を割り当て、このデコード経路では、アクティブ状態の画面の１つ前で視聴していたチャンネルの選局とデコードを行うようにする。
これにより、アクティブ状態の画面でのチャンネルの入力切替が高速化できる。
【００９８】
（２）２画面表示と４系統のデコード経路を備えて、それぞれの画面への映像出力が並行してできる場合：
各画面に２つずつデコード経路を割り当て、それぞれの画面において、片方のデコード経路では現在視聴中のチャンネルの選局とデコードを行い、他方のデコード経路では、１つ前に視聴していたチャンネルの選局とデコードを行うようにする。
【００９９】
これにより、３系統のデコード経路では、アクティブ状態の画面を切り替え、この画面でチャンネル切替を行うと、最初のチャンネル切替では高速化を得られないが、４系統にすることによって、アクティブ状態の画面を切り替えても、いずれの画面においても高速に入力切替が行える。
【０１００】
尚、本発明は上述した実施形態に限定されず、本発明の要旨を逸脱しない範囲内で各種の変形、修正が可能であるのは勿論である。
【図面の簡単な説明】
【０１０１】
【図１】実施形態のデジタルテレビジョン放送受信装置の概略構成を示すブロック図である。
【図２】入力切替メモリのデータ構造例である。
【図３】従来と実施形態１におけるフラッシュバックの視聴者が体感する時間の比較図である。
【図４】従来と実施形態２における順次選局の視聴者が体感する時間の比較図である。
【図５】従来と実施形態３におけるフラッシュバックと順次選局の視聴者が体感する時間の比較図である。
【図６】従来と実施形態４における画面切替の視聴者が体感する時間の比較図である。
【符号の説明】
【０１０２】
１００…デジタルテレビジョン放送受信装置、１０…アンテナ、１１…リモコン、２０…第１デコード経路、２１…選局手段（チューナ）、２２…復調手段、２３…分離手段、２４…経路切替手段、２５…復号手段(デコーダ）、３０…第２デコード経路、３１…選局手段、３２…復調手段、３３…分離手段、３４…経路切替手段、３５…復号手段、４０…出力制御手段、５０…映像出力手段、６０…音声出力手段、７０…リモコン受光部、入力選択手段、７５…キー操作入力手段、８０…メモリ、８１…入力切替メモリ、９０…制御手段、９５…外部入力端子、９６…切替手段。
【図１】
2009164867.tif 000003
【図２】
2009164867.tif 000004
【図３】
2009164867.tif 000005
【図４】
2009164867.tif 000006
【図５】
2009164867.tif 000007
【図６】
2009164867.tif 000008